(57)【要約】【課題】  花粉症等のアレルギー性疾患で苦しんでいる人に対して、アレルゲンの非常に少ない環境で睡眠等を行える空間を提供することを目的として、従来から各種の空気清浄区画装置が提案されているが、価格が高くなったり、吹き出された清浄空気により使用者に不快感を感じさせたりする等の欠点がある。【解決手段】  そこで、本発明では、アレルゲン等の微粒子に対して非透過性の面状区画材２により床３の上方に隔離区画１を形成し、その適所に開閉可能な出入口を設けると共に、この隔離区画の一端側の床上に空気清浄装置６を設置し、この空気清浄装置は、少なくとも空気吹出部を隔離区画内に位置させ、他端側に向かって斜め上方に清浄空気を吹き出す構成としたことを特徴とする空気清浄区画装置を提案する。【選択図】    図３
2006052908.tif 000002
【特許請求の範囲】
【請求項１】
アレルゲン等の微粒子に対して非透過性の面状区画材により床の上方に隔離区画を形成し、その適所に開閉可能な出入口を設けると共に、この隔離区画の一端側の床上に空気清浄装置を設置し、この空気清浄装置は、少なくとも吹出部を隔離区画内に位置させ、他端側に向かって斜め上方に清浄空気を吹き出す構成としたことを特徴とする空気清浄区画装置。
【請求項２】
隔離区画は直方体形状とし、空気清浄装置は長手方向の一端側に設置する構成としたことを特徴とする請求項１に記載の空気清浄区画装置
【請求項３】
空気清浄装置は、吸込部を隔離区画内に設けて、隔離区画内の空気を清浄化して循環させる構成としたことを特徴とする請求項１又は２に記載の空気清浄区画装置。
【請求項４】
空気清浄装置は、吸込部を隔離区画外に設けて、隔離区画外の空気を清浄化して隔離区画内に供給する構成としたことを特徴とする請求項１又は２に記載の空気清浄区画装置。
【請求項５】
隔離区画の適所の面状区画材の下部に換気部を設けたことを特徴とする請求項４に記載の空気清浄区画装置。
【請求項６】
空気清浄装置は、清浄空気の吹出方向が上方に向いている空気清浄機と、この空気清浄機を装着する設置用部材とから構成し、設置用部材には、空気清浄機の空気吹出口の上方に風向変更板を設けたことを特徴とする請求項１〜５までのいずれか１項に記載の空気清浄区画装置
【請求項７】
面状区画材は可撓性材料によって形成し、面状区画材を吊持して隔離区画を形成することを特徴とする請求項１〜６までのいずれか１項に記載の空気清浄区画装置
【請求項８】
面状区画材は剛性材料により構成し、フレーム部材により面状区画材を支持して隔離区画を形成することを特徴とする請求項１〜６までのいずれか１項に記載の空気清浄区画装置
【請求項９】
面状区画材は剛性材料と可撓性材料とを混成した構成とし、剛性材料の面状区画材はフレーム部材により支持すると共に、可撓性材料の面状区画材は吊持して隔離区画を形成することを特徴とする請求項１〜６までのいずれか１項に記載の空気清浄区画装置
【請求項１０】
空気清浄装置に空調機能を持たせたことを特徴とする請求項１〜９までのいずれか１項に記載の空気清浄区画装置
【請求項１１】
空気清浄装置に酸素供給機能を持たせたことを特徴とする請求項１〜１０までのいずれか１項に記載の空気清浄区画装置
【発明の詳細な説明】
【技術分野】
【０００１】
本発明は、花粉症等のアレルギー性疾患で苦しんでいる人等が、アレルゲンの非常に少ない環境で睡眠等を行える空間を簡易に提供することができる空気清浄区画装置に関するものである。
【背景技術】
【０００２】
花粉症等のアレルギー性疾患で苦しんでいる人に対して、アレルゲンの非常に少ない環境で睡眠等を行える空間を提供することを目的として、従来から各種の空気清浄区画装置が提案されている。
【０００３】
たとえば特許文献１には、天井部もしくは壁部に吊り下げたフレーム体によりシートを支持して外部から隔離された隔離区画を形成し、ＨＥＰＡ等のフィルターを通した清浄空気を供給するクリーンエア供給部を隔離区画に隣接した外部に設置すると共に、清浄空気を隔離区画内に吹き出す吹出部を使用者の頭上又はその近傍に設け、クリーンエアー供給部と吹出部との間をシートダクトにより接続した構成のパーソナルクリーンブースと称される空気清浄区画装置が提案されている。
【０００４】
また特許文献２には、軽量組立框体により帯電防止シートを支持して外部から隔離された隔離区画を形成し、空気を供給するファンを隔離区画に隣接した外部に設置すると共に、ＨＥＰＡフィルタを介して隔離区画内に清浄空気を吹き出すＨＥＰＡフィルタ装置を使用者の頭上又はその近傍に設け、ファンとＨＥＰＡフィルタ装置との間をダクト等により接続した構成のパーソナルクリーンブースと称される空気清浄区画装置が提案されている。
【０００５】
また特許文献３には、折り畳み可能なフレーム構造によりシートを支持して外部から隔離された隔離区画を形成し、ＨＥＰＡ等のフィルターを通した清浄空気を供給するクリーンエアー供給部を隔離区画に隣接した外部に設置すると共に、清浄空気を隔離区画内に吹き出す吹出部を隔離区画の天井部に設け、クリーンエアー供給部と吹出部との間をシートダクトにより接続した構成のパーソナルクリーンブースと称される空気清浄区画装置が提案されている。
【０００６】
これらの空気清浄区画装置では、いずれも清浄空気の吹出部は、隔離区画において、使用者の頭上に設けられており、吹出部から使用者の頭部方向に吹出した清浄空気は、使用者の頭側から足側に流れ、足側の下部に設けた流出部から流出する。
【特許文献１】特開平５−１４１７２９号公報
【特許文献２】特開平５−２３１６８４号公報
【特許文献３】特開平５−２３１６８５号公報
【発明の開示】
【発明が解決しようとする課題】
【０００７】
しかしながら以上の従来の空気清浄区画装置では、いずれも清浄空気の吹出部を隔離区画において、使用者の頭上又はその近傍に設けており、従って、この吹出部から下方に吹き出された清浄空気は、使用者の頭部や顔に直接的に当たるので、使用者に不快感を感じさせることが多い。
【０００８】
また以上の空気清浄区画装置では、クリーンエアー供給部やファン自体は隔離区画に隣接した外部に設置されるが、清浄空気を吹き出す吹出部又はＨＥＰＡフィルタ装置は、隔離区画において使用者の頭上又はその近傍に設けるため、これらと、これらを接続するダクト類から成る清浄空気供給手段は、専用のものとして構成しなければならず、コスト高である。
【０００９】
本発明は、以上の課題を解決した空気清浄区画装置を提供することを目的とするものである。
【課題を解決するための手段】
【００１０】
上述した課題を解決するために、本発明では、アレルゲン等の微粒子に対して非透過性の面状区画材により床の上方に隔離区画を形成し、その適所に開閉可能な出入口を設けると共に、この隔離区画の一端側の床上に空気清浄装置を設置し、この空気清浄装置は、少なくとも吹出部を隔離区画内に位置させ、他端側に向かって斜め上方に清浄空気を吹き出す構成とした空気清浄区画装置を提案するものである。
【００１１】
また本発明では、上記空気清浄区画装置において、隔離区画は直方体形状とし、空気清浄装置は長手方向の一端側に設置する構成とすることを提案する。
【００１２】
また本発明では、上記空気清浄区画装置において、空気清浄装置は、吸込部を隔離区画内に設けて、隔離区画内の空気を清浄化して循環させる構成とすることを提案する。
【００１３】
また本発明では、上記空気清浄区画装置において、空気清浄装置は、吸込部を隔離区画外に設けて、隔離区画外の空気を清浄化して隔離区画内に供給する構成とすることを提案する。
また本発明では、この構成において、隔離区画の適所の面状区画材の下部に換気部を設けることを提案する。
【００１４】
また本発明では、以上の空気清浄区画装置において、空気清浄装置は、清浄空気の吹出方向が上方に向いている空気清浄機と、この空気清浄機を装着する設置用部材とから構成し、設置用部材には、空気清浄機の空気吹出口の上方に風向変更板を設けることを提案する。
【００１５】
また本発明では、以上の空気清浄区画装置において、面状区画材は可撓性材料によって形成し、面状区画材を吊持して隔離区画を形成すること、又は面状区画材は剛性材料により構成し、フレーム部材により面状区画材を支持して隔離区画を形成すること、又は面状区画材は剛性材料と可撓性材料とを混成した構成とし、剛性材料の面状区画材はフレーム部材により支持すると共に、可撓性材料の面状区画材は吊持して隔離区画を形成することを提案する。
【００１６】
また本発明では、以上の空気清浄区画装置において、空気清浄装置に空調機能を持たせること、又は酸素供給機能を持たせることを提案する。
【発明の効果】
【００１７】
本発明では、隔離区画の一端側を、床やベッド上に敷いた布団やマットレス等の寝具上に仰臥する使用者の足側に対応させて、この使用者の足側に空気清浄装置を設置する。
【００１８】
こうして使用者が就寝する際、空気清浄装置を運転することにより、隔離区画内の空気を、空気清浄装置により清浄化した清浄空気で置き換えることができ、面状区画材を通してアレルゲン等の微粒子が隔離区画内に透過してこないことにより、使用者はアレルゲンの非常に少ない環境で睡眠を行うことができる。
【００１９】
この際、本発明では、空気清浄装置の吹出部から吹き出された清浄空気は、使用者の頭側に対応する隔離区画の他端側の上方に向かって拡がりながら流れて減速し、次いで減速状態で下降して使用者の頭側に至る。
【００２０】
このように清浄空気は、減速された状態で使用者の頭側に至るので、強い気流が使用者の顔に当たらない。このため気流による違和感や不快感を感じることはない。
【００２１】
この際、空気清浄装置の吸込部を隔離区画内に設けている場合には、上述したように隔離区画の一端側の空気清浄装置から吹き出されて他端側の上部に至り、次いで下降して使用者の頭側に至った清浄空気は、隔離区画の下部を他端側に向かって流れ、空気清浄装置の吸込部を経て還流し、再び空気清浄装置に設けられているＨＥＰＡフィルター等の空気清浄手段により清浄化された後、再び吹出部から吹き出される。
【００２２】
また、空気清浄装置の吸込部を隔離区画外に設けている場合には、上述したように隔離区画の一端側の空気清浄装置から吹き出されて他端側の上部に至り、次いで下降して使用者の頭側に至った清浄空気は、面状区画材の適所の下部に設けた換気部や、面状区画材と床との間に形成された隙間等から外部に流出する。一方、隔離区画外の空気は吸込部から空気清浄装置内に導入され、ＨＥＰＡフィルター等の空気清浄手段により清浄化された後、上述したとおり吹出部から吹き出される。
【００２３】
空気清浄装置の吸込部を隔離区画外に設けている場合には、隔離区画内を外部に対して陽圧に維持することができるので、こうすることにより、アレルゲン等の微粒子に対して非透過性の面状区画材の作用と相俟って、隔離区画内へのアレルゲン等の微粒子の侵入を効果的に防止することができる。
【発明を実施するための最良の形態】
【００２４】
清浄空気の吹出方向が上方に向いている空気清浄機と、この空気清浄機を装着する設置用部材とから構成し、設置用部材には、空気清浄機の空気吹出口の上方に風向変更板を設ければ、殆どの機種が清浄空気の吹出方向を上方としている市販の空気清浄機を用いて、本発明に適用する空気清浄装置を構成することができ、従って、専用の空気清浄装置を新たに設計する必要がないので、非常に低コストに本発明の空気清浄区画装置を提供することができる。
【実施例１】
【００２５】
次に本発明の空気清浄区画装置の実施例を添付図面を参照して説明する。
図１〜図７は実施例１を示すもので、これらの図において、符号１は吊り下げ支持式、すなわち蚊帳状に形成された隔離区画を示すもので、この隔離区画１は、可撓性を有する面状区画材２の各部分２ａ，２ｂ，２ｃ，２ｄ，２ｅ，２ｆにより床３の上方に直方体形状に形成されるもので、吊持部材４を室内の天井や壁等に取り付けて、この吊持部材４により隔離区画１の直方体形状を維持するものとしている。尚、この隔離区画１は、部分２ｂと部分２ｃ間が長手方向となる直方体形状である。
【００２６】
この実施例１における可撓性を有する面状区画材２としては、花粉等のアレルゲン等の微粒子が非透過性の面状素材、例えばナイロンやテトロン等の繊維による布地やビニール等の樹脂によるシート等を、いずれか一種類又は適宜に組み合わたものとすることができ、また隔離区画１への加工も、縫製や接着等の適宜の加工方法を適用することができる。また面状区画材２は、透明、半透明又は不透明のいずれでも良いし、これらを組み合わせることもできる。
【００２７】
再び図に戻って説明すると、面状区画材２の部分２ａと２ｂ間は一体化されておらず、図２に示すように、部分２ａを開くことにより隔離区画１内との出入りを可能としており、また隔離区画１としての利用に際しては、面ファスナー５等により、面状区画材２の部分２ａと２ｂの間に空気が流通する隙間が生じないように結合することが可能としている。面状区画材２の部分２ａと２ｂの間に隙間が生じないようにすることを確実にするために、部分２ａ，２ｂが重なる部分を形成すること等も適宜に行うことができる。
【００２８】
図に示すとおり隔離区画１の部分２ｂの中央下部には空気清浄装置６を設置するための設置用部分７を形成している。この設置用部分７は、切り欠いた部分、すなわち切欠部８の周縁を適宜に補強した構成である。尚、補強部分９は図において便宜的に二重ハッチングにより表しているが、その構成は適宜である。
【００２９】
更に部分２ａの左右側の下部には換気部１０を形成している。この換気部１０は適当な空気の流通が可能な構成とする。この実施例では換気部１０は部分２ａの左右側に設けているが、後述するように、その設置数や設置位置は、面状区画材２の下部であれば適宜である。
【００３０】
上述したとおり符号６は空気清浄装置を示すもので、この実施例においては、この空気清浄装置６は、空気清浄機１１と設置用部材１２とから構成している。空気清浄機１１は清浄空気の吹出部１３を前側部分の上面に設けていて、清浄空気の吹出方向が上方に向いており、また後側部分に吸込部１４を設けた構成である。また設置用部材１２は、基板１５の上側に設置板１６と一対の案内板１７を突設し、設置板１６には案内板１７間に対応して上記空気清浄機１１の前側が通過可能な開口部１８を形成すると共に、開口部１８の上方に対応して案内板１７間に、上方に向かって傾斜した風向変更板１９を設けた構成である。尚、符号２０は基板１５と設置板１６の間に設けた補強板である。
【００３１】
以上の構成において、空気清浄機１１の前側部分を設置用部材１２の後側から、その開口部１８を通して前方に移動して案内板１７間に嵌め込むと、空気清浄機１１の吹出部１３が風向変更板１９の下方に配置される。
【００３２】
従ってこの状態で空気清浄機１１を運転すると、吹出部１３から上方に吹き出した清浄空気は風向変更板１９に衝突して、その流れの方向を斜め上方に変更させられ、こうして本発明における空気清浄装置６を構成することができる。
【００３３】
現在、市販されている空気清浄機１１は、殆どの機種が清浄空気の吹き出し方向を上方としているので、そのままでは本発明の空気清浄区画装置に適用することはできないのであるが、上述したとおり、簡単な構成の設置用部材１２と組み合わせることで、容易に本発明の空気清浄区画装置に適用することができる。
【００３４】
従って、専用の空気清浄装置を新たに設計する必要がないので、非常に低コストに本発明の空気清浄区画装置を提供することができる。
【００３５】
以上の構成において、本発明では、図３に示すように、隔離区画１の一端側、即ち、部分２ａ側を床３やベッド上に敷いた布団やマットレス等の寝具上に仰臥する使用者２１の足側に対応させ、部分２ｃ側を頭側に対応させ、使用者２１のの足側に空気清浄装置６を設置する。
【００３６】
空気清浄装置６の設置は、図５〜図８等により分かるように、設置用部材１２の前側、即ち案内板１７や風向変更板１９側を、面状区画材２の部分２ｂの切欠部８を通して隔離区画１内に前進させた後、設置用部分７の補強部分９を、設置用部材１２の設置板１６に、面ファスナーや適宜の固定手段により、固定することにより、空気清浄装置６を気密的に面状区画材２の部分２ｂの下部に設置することができる。この説明から分かるように、設置用部分７の切欠部８の大きさは、設置用部材１２の案内板１７を通過させるが、設置板１６よりも小さな大きさに設定している。尚、設置用部材１２は、以上の例とは異なり、面状区画材２の部分２ｂよりも内側に設置して、設置用部分７の補強部分９と設置板１６とを面ファスナーや適宜の固定手段により気密的に固定することもできる。
【００３７】
以上の設置状態において、使用者２１が就寝する際、空気清浄機１１を運転すると、吸込部１４から吸い込まれた隔離区画１外の空気はＨＥＰＡフィルタ等の清浄化手段により清浄化され、即ち、花粉等のアレルゲンや排気ガス、細菌等の微粒子が除去されて、吹出部１３から上方に吹き出される。
【００３８】
空気清浄機１１の吹出部１３から上方に吹き出された清浄空気は風向変更板１９に衝突して、その流れの方向を斜め上方に変更させられ、使用者２１の頭側に対応する隔離区画１の他端側、即ち部分２ｃ側の上方に向かって拡がりながら流れて減速し、次いで減速状態で下降して使用者２１の頭側に至る。
【００３９】
このように清浄空気は、減速された状態で使用者２１の頭側に至るので、強い気流が使用者２１の顔に当たらない。このため気流による違和感や不快感を感じることはない。
【００４０】
このように、隔離区画１の一端側の空気清浄装置６から吹き出されて他端側の上部に至り、次いで下降して使用者２１の頭側に至った清浄空気は換気部１０から外部に流出する。換気部１０は空気清浄装置６を設置している側にのみ設けることにより、清浄空気を隔離区画１内の全体に渡って効果的に行き届かせることができるが、それぞれの換気部１０における換気量を調整すれば、上述したとおり、設置個所や設置数は適宜である。また場合によっては、換気部１０を特別に設けず、面状区画材２と床３の表面との間に自然に形成される隙間を換気部とすることもできる。
【００４１】
上述した動作において、換気部１０からの空気の流出量を適切に設定することにより、隔離区画１内を、外部に対して陽圧に維持することができる。従って、こうすることにより、アレルゲン等の微粒子に対して非透過性の面状区画材２の作用と相俟って、隔離区画１内へのアレルゲン等の微粒子の侵入を効果的に防止することができる。
【００４２】
こうして隔離区画１内の使用者２１が就寝する際、空気清浄装置６を運転することにより、隔離区画１内の空気を、空気清浄装置２１により清浄化した清浄空気で置き換えることができ、面状区画材２を通してアレルゲン等の微粒子が隔離区画内に透過してこないことにより、使用者はアレルゲンの非常に少ない環境で睡眠を行うことができる。
【００４３】
この第１の実施例では、隔離区画１は、可撓性材料の面状区画材２により、吊り下げ支持式、すなわち蚊帳状に形成しているので、室内に常設することができることは勿論であるが、不使用時には図４に示すように、一方側に折り畳んで格納するか、全く取り外して格納することができる。
【実施例２】
【００４４】
次に図９は本発明の空気清浄区画装置の第２の実施例を示すもので、この実施例では、面状区画材２の部分２ｂの左右両側において、夫々部分２ａ、２ｃ間を一体化しておらず、これらの部分２ａ、２ｃのいずれを開くことによっても隔離区画１内との出入りを可能としており、隔離区画１としての利用に際しては、第１の実施例と同様に、面ファスナー５等により、面状区画材２の部分２ｂと２ａ及び２ｃの間に空気が流通する隙間が生じないように結合することが可能としている。この実施例においても、面状区画材２の部分２ａと２ｂの間に隙間が生じないようにすることを確実にするために、部分２ａ，２ｂが重なる部分を形成すること等も適宜に行うことができる。
【００４５】
この第２の実施例の上述した以外の構成は、第１の実施例と同様であるので、これらについては、図９において第１の実施例と同一の符号を付して、重複する説明は省略する。
【実施例３】
【００４６】
次に図１０は本発明の空気清浄区画装置の第３の実施例を示すもので、この実施例では、空気清浄装置６は、第１の実施例と同様に、空気清浄機１１と設置用部材１２とから構成しており、設置用部材１２は第１の実施例と同様の構成であり、即ち、図示は省略するが、基板の上側に設置板と一対の案内板を突設し、設置板には案内板間に対応して上記空気清浄機の前側が通過可能な開口部を形成すると共に、開口部の上方に対応して案内板間に、上方に向かって傾斜した風向変更板を設けた構成であるが、空気清浄機１１の構成は第１の実施例とは異なっている。即ち、この実施例の空気清浄機１１は、清浄空気の吹出部１３を前側部分の上面に設けていて、清浄空気の吹出方向が上方に向いていることは、第１の実施例のものと同様であるが、吸込部１４は、前側の下部に設けた構成である。
【００４７】
そしてこの第３の実施例においては、空気清浄装置６は、第１の実施例のように面状区画材２による隔離区画１の内外の界面に設けるのではなく、隔離区画１の内側に設置する。従って面状区画材２には第１の実施例のような設置用部分は不要である。
【００４８】
この実施例においては、隔離区画１の一端側の空気清浄装置６から吹き出されて他端側の上部に至り、次いで下降して使用者２１の頭側に至った清浄空気は、、隔離区画１の下部を他端側に向かって流れ、空気清浄装置６の吸込部１４を経て還流し、再び空気清浄装置６に設けられているＨＥＰＡフィルター等の空気清浄手段により清浄化された後、再び吹出部１３から吹き出される。
【００４９】
この第３の実施例では、隔離区画１内を外部よりも陽圧とすることはできないが、隔離区画１内の空気を循環して清浄化することができるので、この場合も、使用者２１が就寝する際、空気清浄装置６を運転することにより、隔離区画１内の空気を、空気清浄装置６により清浄化した清浄空気で置き換えることができ、面状区画材２を通してアレルゲン等の微粒子が隔離区画１内に透過してこないことにより、使用者はアレルゲンの非常に少ない環境で睡眠を行うことができる。
【実施例４】
【００５０】
次に図１１は、本発明の空気清浄区画装置の第４の実施例を示すもので、この第４の実施例は、実施例１〜３とは異なり、隔離区画１は吊り下げ式ではなく、支柱２２と上部横桟部材２３と中間部横桟部材２４とから構成した支持フレームにより面状区画材２を支持して直方体形状の隔離区画１を形成している。
【００５１】
この第４の実施例においては、面状区画材２は、ガラス板やプラスチック板等の剛性材料を利用することができる。この場合、図１に対応する各部分２ａ〜２ｅの全てを剛性材料とせずに、その少なくとも一部分を可撓性材料により構成することができる。
【００５２】
即ち、図１１の例では、面状区画材２の部分２は可撓性材料とし、これを上部横桟部材２３よりカーテン状に支持して、開閉可能に構成している。
【００５３】
一方、この第４の実施例では、空気清浄装置６は、吹出部１３から清浄空気を上方に吹き出すように構成された空気清浄機１１を使用しているが、その吹出部１３の上部にダクト部２５を接続し、そのダクト２５の先端側を斜め上方に向けて、斜め上方に清浄空気を吹き出す構成としている。
【００５４】
その他の構成は前述した第１〜第３の実施例と同様であり、その動作は以上の説明から自明であるので、詳細な説明は省略する。この第４の実施例では、隔離区画１は部屋内に常設することになるが、睡眠の用途以外に、隔離区画１内に机や椅子を入れて読書やリラックスのためのスペースとしても利用することができる。尚、このような睡眠の用途以外の利用は、前述した実施例の場合にも行えることは勿論である。
【実施例５】
【００５５】
この他、本発明では、空気清浄装置６に空調機能を持たせることもできるし、酸素供給機能を持たせることもできる。更に、空気清浄装置６から吹き出す清浄空気に山岳地や海浜等を想起させる香りを含ませたり、いわゆるマイナスイオンを含ませるようにすることもできる。
【産業上の利用可能性】
【００５６】
本発明の空気清浄区画装置は、以上の通りであるので、花粉症等のアレルギー性疾患で苦しんでいる人等が、アレルゲンの非常に少ない環境で睡眠等を行える空間を簡易、そして安価に提供することができ、産業上の利用可能性が非常に高い。
【図面の簡単な説明】
【００５７】
【図１】本発明の第１の実施例に対応する空気清浄区画装置の全体構成を使用状態において示す斜視図である。
【図２】本発明の第１の実施例に対応する空気清浄区画装置の全体構成を出入り状態において示す斜視図である。
【図３】本発明の第１の実施例に対応する空気清浄区画装置の使用状態を示す説明図である。
【図４】本発明の第１の実施例に対応する空気清浄区画装置の、面状区画材の格納状態の一例を示す斜視図である。
【図５】本発明の第１の実施例に対応する空気清浄区画装置の、空気清浄装置の設置部位を、隔離区画の外側から見た図である。
【図６】本発明の第１の実施例に対応する空気清浄区画装置の、空気清浄装置の設置用の構成要素を示す拡散図である。
【図７】本発明の第１の実施例に対応する空気清浄区画装置の、空気清浄装置の構成を示す斜視図である。
【図８】本発明の第１の実施例に対応する空気清浄区画装置の、空気清浄装置の設置部位を、隔離区画の内側から見た斜視図である。
【図９】本発明の第２の実施例に対応する空気清浄区画装置の全体構成を使用状態において示す斜視図である。
【図１０】本発明の第３の実施例に対応する空気清浄区画装置の使用状態を示す説明図である。
【図１１】本発明の第４の実施例に対応する空気清浄区画装置の全体構成を使用状態において示す斜視図である。
【符号の説明】
【００５８】
１                      隔離区画
２                      面状区画材
２ａ，２ｂ，２ｃ，２ｄ，２ｅ  部分
３                      床
４                      吊持部材
５                      面ファスナー
６                      空気清浄装置
７                      設置用部分
８                      切欠部
９                      補強部分
１０                    換気部
１１                    空気清浄機
１２                    設置用部材
１３                    吹出部
１４                    吸込部
１５                    基板
１６                    設置板
１７                    案内板
１８                    開口部
１９                    風向変更板
２０                    補強板
２１                    使用者
２２                    支柱
２３                    上部横桟部材
２４                    中間部横桟部材
２５                    ダクト
【図１】
2006052908.tif 000003
【図２】
2006052908.tif 000004
【図３】
2006052908.tif 000005
【図４】
2006052908.tif 000006
【図５】
2006052908.tif 000007
【図６】
2006052908.tif 000008
【図７】
2006052908.tif 000009
【図８】
2006052908.tif 000010
【図９】
2006052908.tif 000011
【図１０】
2006052908.tif 000012
【図１１】
2006052908.tif 000013